(57)【要約】 【課題】保持器のポケットのころ端面側当接面の潤滑性を十分に発揮することができる複列ころ軸受の提供。 【解決手段】内外輪１、２間に位置する２列のころ列をもみ抜き保持器４によって保持した複列ころ軸受１０であって、前記もみ抜き保持器４のポケット４ｃの前記ころ端面側当接面４ｄに、潤滑油を保持するための油溜溝７を設ける。これによって、高速回転によりその保持器４などに大きな遠心力が加わってもその油溜溝７に溜まった潤滑油が径方向外方に飛び散って無くなってしまうようなことがなくなるため、そのころ端面側当接面４ｄの潤滑性を長期に亘って良好に維持できる。【選択図】    図１
2007332996.tif 000002
【特許請求の範囲】
【請求項１】
内外輪間に位置する２列のころ列をもみ抜き保持器によって保持した複列ころ軸受であって、
前記もみ抜き保持器のポケットの前記ころ端面側当接面に、潤滑油を保持するための油溜溝を設けたことを特徴とする複列ころ軸受。
【請求項２】
内外輪間に位置する２列のころ列をもみ抜き保持器によって保持した複列ころ軸受であって、
前記もみ抜き保持器のポケットの前記ころ端面側当接面に、潤滑油を通過および保持するための貫通穴を設けたことを特徴とする複列ころ軸受。
【請求項３】
請求項２に記載の複列ころ軸受において、
前記もみ抜き保持器は、一対のくし型保持器部材を背面同士を突き合わせてなると共に、前記貫通穴は、当該くし型保持器部材のポケットのころ端面側当接面とその突き合わせ面とを貫通していることを特徴とする複列ころ軸受。
【請求項４】
請求項１〜３のいずれか１項に記載の複列ころ軸受において、
前記外輪の軸方向中央部に、前記内外輪の間に潤滑油を供給する油穴を形成したこを特徴とする複列ころ軸受。
【請求項５】
請求項１〜４のいずれかに記載の複列ころ軸受において、
自動調心機能を有することを特徴とする複列ころ軸受。
【発明の詳細な説明】
【技術分野】
【０００１】
本発明は、一般産業機械で特に高速性を要求される製紙機械などに用いられる複列ころ軸受に係り、特に、いわゆるもみ抜き保持器によって２列のころ列を保持した複列ころ軸受に関するものである。
【背景技術】
【０００２】
係る複列ころ軸受のうち、自動調心機能を有する自動調心ころ軸受は、例えば図６に示すように、外周面に複列の軌道面１ａ、１ｂを有する内輪１と、内周面にその内輪１の軌道面１ａ、１ｂに対向する球面状の軌道面２ａを有する外輪２と、これら内輪１および外輪２の複列の軌道面１ａ、１ｂ、２ａ間に転動自在に配置される樽形状をした複数のころ（転動体）３、３…と、これら各ころ３、３…をそれぞれ周方向に沿って所定の間隔を保って保持するための保持器４と、を備えた構成となっている。そして、これら各ころ３、３…が軌道面１ａ、１ｂ、２ａに沿って周方向に転動すると共に、外輪２の軌道面２ａ側で円弧状にずれてもころ３、３…の接触状態は変化しないため、取り付け誤差や衝撃荷重により内輪１や外輪２が傾斜しても、エッジロードの発生を防止できると共に、ラジアル負荷能力を大きくとることができるようになっている。
【０００３】
また、図示するようにこのような自動調心ころ軸受では、多くの場合ころ３、３…の軸方向端面を案内するためのフローティングリング（案内輪）５がころ列間に配置されており、このフローティングリング５によって各列のころ３、３…がスキューすることなく良好に転動できるようなっている。
ところで、このような構成をした従来の自動調心ころ軸受の多くは、内輪１または外輪２に形成された油穴６（図６の場合は外輪２側）を介してその間のころ３、３…や保持器４などに潤滑油を供給するようになっているが、高速回転や外部振動がかかる場合は、この油穴６から供給された潤滑油が周囲に飛び散ってしまい潤滑油不足を起こしてしまうことがある。この結果、特に激しく擦れ合う、保持器４のポケット４ｃところ３の端面側当接面４ｄとの間の潤滑性が著しく悪化し、摩耗や振動を引き起こすことがある。
【０００４】
そのため、例えば以下の特許文献１では、フローティングリングの外径面と内径面にその円周方向に沿って潤滑剤移送溝を凹設し、この潤滑剤移送溝によって十分な量の潤滑剤を供給できるようにすることでその部分の摩耗や振動を抑制するようにしている。
また、以下の特許文献２では、保持器４の外周面に環状の突起を設け、保持器４の軸方向中央部から供給された潤滑油を効率的に保持器全体に行き渡らせることで、十分な潤滑性能が得られるようにしている。
【特許文献１】特開平１１−２２５０号公報
【特許文献２】特開２００１−２０８０７号公報
【発明の開示】
【発明が解決しようとする課題】
【０００５】
しかしながら、前記特許文献１の技術では、このフローティングリングや保持器が高速回転した場合、その遠心力によって特に外径面の潤滑剤移送溝側に供給された潤滑油が径方向外方に飛び散ってしまい、特に激しく擦れ合う、保持器４のポケット４ｃのころ端面側当接面４ｄの潤滑性能が極端に低下することがある。
一方、前記特許文献２の技術では、保持器４の柱側に対しては十分に潤滑油を供給することは可能であるが、ころ３の端面と保持器４のポケット４ｃの当接面４ｄとの間にまで十分に行き渡らせることは難しい。
そこで、本発明はこのような課題を解決するための案出されたものであり、その目的は、特に保持器のポケットのころ端面側当接面部分の潤滑性を十分に発揮することができる新規な複列ころ軸受を提供するものである。 
【課題を解決するための手段】
【０００６】
前記課題を解決するために請求項１の発明は、
内外輪間に位置する２列のころ列をもみ抜き保持器によって保持した複列ころ軸受であって、前記もみ抜き保持器のポケットの前記ころ端面側当接面に、潤滑油を保持するための油溜溝を設けたことを特徴とする複列ころ軸受である。
また、請求項２の発明は、 
内外輪間に位置する２列のころ列をもみ抜き保持器によって保持した複列ころ軸受であって、前記もみ抜き保持器のポケットの前記ころ端面側当接面に、潤滑油を通過および保持するための貫通穴を設けたことを特徴とする複列ころ軸受である。
【０００７】
また、請求項３の発明は、
請求項２に記載の複列ころ軸受において、前記もみ抜き保持器は、一対のくし型保持器部材を背面同士を突き合わせてなると共に、前記貫通穴は、当該くし型保持器部材のポケットのころ当接面とその突き合わせ面とを貫通していることを特徴とする複列ころ軸受である。
また、請求項４の発明は、請求項１〜３のいずれか１項に記載の複列ころ軸受において、前記外輪の軸方向中央部に、前記内外輪の間に潤滑油を供給する油穴を形成したこを特徴とする複列ころ軸受である。
また、請求項５の発明は、
請求項１〜４のいずれかに記載の複列ころ軸受において、自動調心機能を有することを特徴とする複列ころ軸受である。
【発明の効果】
【０００８】
請求項１の発明によれば、もみ抜き保持器のポケットの前記ころ端面側当接面に潤滑油を保持するための油溜溝を設けたことから、高速回転によりその保持器などに大きな遠心力が加わってもその油溜溝に溜まった潤滑油が径方向外方に飛び散って無くなってしまうようなことがなくなるため、各ポケットの前記ころ端面側当接面の潤滑性を長期に亘って良好に維持できる。
【０００９】
また、請求項２の発明によれば、もみ抜き保持器のポケットの前記ころ端面側当接面に、潤滑油を通過および保持するための貫通穴を設けたことから、請求項１の発明と同じく、高速回転によりその保持器などに大きな遠心力が加わってもその貫通穴に溜まった潤滑油が径方向外方に飛び散って無くなってしまうようなことがなくなるため、各ポケットの前記ころ端面側当接面の潤滑性を長期に亘って良好に維持できる。
【００１０】
また、請求項３の発明によれば、前記もみ抜き保持器を一対のくし型保持器部材を背面同士を突き合わせたものからなると共に、前記貫通穴を、当該くし型保持器部材のポケットのころ端面側当接面とその突き合わせ面とを貫通して形成したことから、請求項１および２の発明と同様に各ポケットの前記ころ端面側当接面の潤滑性を長期に亘って良好に維持できるだけでなく、その突き合わせ面部分の摩耗の発生を防止することが可能となる。
また、請求項４の発明によれば、前記外輪の軸方向中央部に、前記内外輪の間に潤滑油を供給する油穴を形成したため、その保持器などに対して外輪側から潤滑油を供給することができる。
また、請求項５の発明によれば、特に高速回転時における耐摩耗性に優れた保持器を備えた自動調心ころ軸受を提供することができる。
【発明を実施するための最良の形態】
【００１１】
以下、本発明の実施の形態について添付図面を参照しながら説明する。 
図１は、本発明に係る複列ころ軸受１０のうち、自動調心機能を有する複列ころ軸受（自動調心ころ軸受）１０の実施の一形態を示したものである。 
図示するようにこの複列ころ軸受１０は、外周面に複列の軌道面１ａ、１ｂを有する内輪１と、内周面に内輪１の軌道面１ａに対向する球状の軌道面２ａを有する外輪２と、複列の軌道面１ａ、１ｂ、２ａ間にそれぞれ２つの列を成して転動自在に配置される、樽形状をした複数のころ３、３…と、これら各ころ列のころ３、３…を保持するためのいわゆるもみ抜き保持器４と、から主に構成されている。 
【００１２】
このもみ抜き保持器４は、図１および図２に示すように、軌道面１ａ、１ｂ、２ａ間の中央部にその周方向に沿って延びる環状の保持器本体４ａの両側にそれぞれ一定の間隔を隔てて複数の柱部４ｂ、４ｂ…をその軸方向に突出するように設けたものであり、これら隣接する柱部４ｂ、４ｂによって複数のポケット４ｃ、４ｃ…がその周方向に沿って連続的に形成されている。
【００１３】
そして、これら各ポケット４ｃ、４ｃ…に各列のころ３、３…をそれぞれ独立して収容することで保持器本体４ａの両側にそれぞれ各ころ列を形成すると共に、各ころ列の各ころ３、３…をその周方向に沿って一定の間隔を隔てて転動自在に保持するようになっている。なお、図２に示すようにこのもみ抜き保持器４の各ポケット４ｃ、４ｃ…は各ころ列間でその周方向に半ピッチずつずれるように形成されており、各列のころ３、３…は保持器本体４ａを挟んで交互に千鳥状に配置するようになっている。
【００１４】
また、図１に示すようにこのもみ抜き保持器４の内周面と、内輪１の外周面における軸方向中央部との間には、環状のフローティングリング５が回転自在に配置されており、各ころ列のころ３、３…の内方端面側に当接することで各ころ列を分けると共に各ころ列のころ３、３…を案内するようになっている。 
また、図１に示すように、この外輪２の軸方向中央部には油穴６が形成されており、この油穴６を介してその間のころ３、３…やもみ抜き保持器４などに潤滑油を適宜供給するようになっている。
【００１５】
そして、本発明に係る複列ころ軸受１０にあっては、図１および図３に示すように、このもみ抜き保持器４の各ポケット４ｃ、４ｃ…のころ端面側当接面４ｄに、潤滑油を保持するための油溜溝７をその周方向に沿って形成したものである。
そのため、前記油穴６から供給された潤滑油がこの各ポケット４ｃ、４ｃ…の前記ころ３端面側当接面４ｄに達すると、この潤滑油がこの油溜溝７内に流れ込んでその内部に溜まる（保持される）ようになる。
【００１６】
従って、高速回転によりその保持器４などに大きな遠心力が加わってもその油溜溝７に溜まった潤滑油が径方向外方に飛び散って無くなってしまうようなことがなくなるため、各ポケット４ｃ、４ｃ…の前記ころ３端面側当接面４ｄ部分の潤滑性を長期に亘って良好に維持することが可能となる。これによって、その部分の摩耗や発熱が抑制され、振動、騒音などの発生を確実に防止することができる。
【００１７】
一方、本発明の他の形態として図４および図５に示すように、前記もみ抜き保持器４のポケット４ｃのころ端面側当接面４ｄに、潤滑油を通過、保持させるための貫通穴８を設けるようにしても前記実施の形態と同様の効果が得られる。また、このように貫通穴８を設けるに際しては、一方のポケット４ｃ中央部からその保持器本体４ａを軸方向にそのまま貫通するように設けても良いが、千鳥状に配置される他方のポケット４ｃの中央部同士間斜めに貫通するように設けても良い。
【００１８】
そして、さらにこのもみ抜き保持器４が別体型のもの、すなわち図示するように前記実施の形態のもみ抜き保持器４の保持器本体４ａの部分をその中央部分から周方向に分割したような一対のくし型保持器部材４ｆ、４ｆからなる場合には、そのくし型保持器部材４ｆ、４ｆが非対称運動してその突き合わせ面同士が擦れ合うことになるが、このような場合でもその部分にこの貫通穴８から潤滑油が流れ出て供給されるようになるため、その部分の摩耗や発熱などを確実に防止することが可能となる。
【００１９】
また、この貫通穴８は、１つのポケット４ｃに対して少なくとも１つ以上形成されていれば良く、さらには図４に示すように１つのポケット４ｃに対して複数形成するようにすればより効果的に潤滑油を通過、保持させることが可能となる。
なお、前記各実施の形態では、自動調心ころ軸受１０を例にして説明したが、このようなもみ抜き保持器４を用いるものであれば、複列円筒ころ軸受や複列円錐ころ軸受等の複列ころ軸受などにもそのまま適用できる。
【図面の簡単な説明】
【００２０】
【図１】本発明に係る複列ころ軸受（自動調心ころ軸受）の実施の一形態を示す周方向拡大断面図である。
【図２】本発明に係る複列ころ軸受（自動調心ころ軸受）で用いる保持器の一例を示す斜視図である。
【図３】図２中Ａ部を示す部分拡大図である。
【図４】本発明に係る保持器の他の実施の形態を示す部分拡大斜視図である。
【図５】本発明に係る複列ころ軸受（自動調心ころ軸受）の他の実施の形態を示す周方向拡大断面図である。
【図６】従来の複列ころ軸受（自動調心ころ軸受）の一例を示す周方向拡大断面図である。
【符号の説明】
【００２１】
１…内輪 
２…外輪 
３…ころ 
４…保持器 
４ａ…保持器本体
４ｂ…柱部
４ｃ…ポケット
４ｄ…ころ端面側当接面
４ｆ…くし型保持器部材  
５…案内輪 
６…油穴
７…油溜溝
８…貫通穴
１０…複列ころ軸受（自動調心ころ軸受）
【図１】
2007332996.tif 000003
【図２】
2007332996.tif 000004
【図３】
2007332996.tif 000005
【図４】
2007332996.tif 000006
【図５】
2007332996.tif 000007
【図６】
2007332996.tif 000008